(57)【要約】【課題】  画像データの伝送通信量を適切に制御することが可能な画像出力装置およびそれに関連する技術を提供する。また、録画画像の再生時における音声出力を適切に制御することが可能な技術を提供する。【解決手段】  デジタルカメラ１００Ａに対して画像（ＴＶ画像等）を出力するクレードル２００Ａは、デジタルカメラ１００ＡのＬＣＤ５の表示解像度に関する情報を取得し、当該表示解像度に応じて画像の出力解像度を変更し、変更後の出力解像度で当該画像をデジタルカメラ１００Ａに出力する。当該画像は、元の解像度よりも低い解像度に変更された上で、デジタルカメラ１００Ａに出力される。また、デジタルカメラ１００Ａは、再生対象の画像が録画画像であると判定される場合には、当該画像に関する音声出力をスピーカから出力しないように制御する。【選択図】図３
2007005879.tif 000002
【特許請求の範囲】
【請求項１】
撮像装置に対して画像を出力する画像出力装置であって、
前記撮像装置の表示手段の表示解像度に関する情報を取得する取得手段と、
前記画像の出力解像度を前記表示解像度に応じて変更する変更手段と、
変更後の出力解像度で前記画像を前記撮像装置に出力する出力手段と、
を備え、
前記変更手段は、前記出力解像度を前記画像の元の解像度よりも低い解像度に変更することを特徴とする画像出力装置。
【請求項２】
請求項１に記載の画像出力装置であって、
前記取得手段は、前記表示解像度に関する情報を前記撮像装置との通信により取得することを特徴とする画像出力装置。
【請求項３】
請求項１または請求項２に記載の画像出力装置であって、
前記画像は動画像であることを特徴とする画像出力装置。
【請求項４】
請求項１から請求項３のいずれかに記載の画像出力装置において、
前記撮像装置の記録手段における画像記録能力を取得する手段と、
前記撮像装置の記録手段における録画設定内容を設定する設定手段と、
をさらに備え、
前記設定手段は、前記録画設定内容が前記画像記録能力を超えないように、前記録画設定内容における前記記録解像度を変更し、
前記変更手段は、前記出力解像度を前記変更後の記録解像度と同一の解像度に変更することを特徴とする画像出力装置。
【請求項５】
請求項１から請求項４のいずれかに記載の画像出力装置において、
前記撮像装置に対して電力を供給する電力供給手段、
をさらに備えることを特徴とする画像出力装置。
【請求項６】
請求項５に記載の画像出力装置において、
前記電力供給手段は、前記撮像装置の充電池を充電することが可能であり、少なくとも、前記撮像装置による前記画像の記録時には前記充電池の充電を行わないことを特徴とする画像出力装置。
【請求項７】
請求項１から請求項６のいずれかに記載の画像出力装置において、
前記撮像装置における前記画像の録画予約を行う予約手段、
をさらに備えることを特徴とする画像出力装置。
【請求項８】
請求項１から請求項７のいずれかに記載の画像出力装置において、
前記変更手段は、前記撮像装置の記録手段における未使用記憶容量と録画予約における録画時間とに応じて、前記画像の出力解像度を変更することを特徴とする画像出力装置。
【請求項９】
請求項１から請求項８のいずれかに記載の画像出力装置において、
前記撮像装置における予約録画時には、前記撮像装置のスピーカから音声を出力しないように前記撮像装置を制御する制御手段、
をさらに備えることを特徴とする画像出力装置。
【請求項１０】
請求項１から請求項９のいずれかに記載の画像出力装置において、
前記画像出力装置からの出力画像が前記撮像装置によって録画されて録画ファイルが生成される場合には、前記画像出力装置からの出力画像を録画した録画画像であることを示す情報を前記録画ファイルに付加させる手段、
をさらに備えることを特徴とする画像出力装置。
【請求項１１】
コンピュータを、
請求項１から請求項１０のいずれかに記載の画像出力装置として機能させるためのプログラム。
【請求項１２】
画像入出力システムであって、
撮像装置と、
請求項１から請求項１０のいずれかに記載の画像出力装置と、
を備える画像入出力システム。
【請求項１３】
撮像装置であって、
画像の再生表示を行う表示手段と、
前記画像に関する音声出力を行うことが可能なスピーカと、
再生対象の画像が、当該撮像装置による撮影画像と当該撮像装置に対する入力画像を録画した録画画像とのいずれであるかを判定する手段と、
前記再生対象の画像が前記録画画像であると判定される場合には、当該画像に関する音声出力を前記スピーカから出力しないように制御する制御手段と、
を備えることを特徴とする撮像装置。
【発明の詳細な説明】
【技術分野】
【０００１】
本発明は、画像出力装置およびそれに関連する技術に関する。特に撮像装置に対して画像を出力する画像出力装置およびそれに関連する技術に関する。
【背景技術】
【０００２】
撮像装置は、本体背面等に表示部（ＬＣＤ等）を有している。この表示部は、撮影された静止画像および動画像を表示するために主に用いられる。
【０００３】
また、撮像装置の表示部には、ＴＶ放送を表示することも考えられる。例えば、特許文献１には、撮像装置にＴＶチューナを接続し、当該ＴＶチューナで受信したＴＶ放送を撮像装置の表示部に表示する技術が記載されている。
【０００４】
【特許文献１】特開２００４−２０７８９９号公報
【発明の開示】
【発明が解決しようとする課題】
【０００５】
ところで、撮像装置の表示部は、通常比較的少ない画素数（例えば３２０×２４０）で構成されている。それにもかかわらず、ＴＶチューナから撮像装置へとフル解像度の画像（例えば、５２５本の水平解像度を有するテレビ放送画像）を出力する場合には、ＴＶチューナから撮像装置への画像データの伝送量（通信量）が必要以上に大きくなってしまう。
【０００６】
また、録画したＴＶ画像（録画画像）を再生するときには不意に音が出ると困惑する事態（例えば、通勤電車の車内において当該録画画像を再生するとき等）が存在する。このような場合には、何らかの対策を施すことが望まれる。
【０００７】
そこで、この発明の課題は、画像に関する通信量を適切に制御することが可能な画像出力装置およびそれに関連する技術を提供することを第１の課題とする。また、録画画像の再生時における音声出力を適切に制御することが可能な技術を提供することを第２の課題とする。
【課題を解決するための手段】
【０００８】
上記課題を解決すべく、請求項１の発明は、撮像装置に対して画像を出力する画像出力装置であって、前記撮像装置の表示手段の表示解像度に関する情報を取得する取得手段と、前記画像の出力解像度を前記表示解像度に応じて変更する変更手段と、変更後の出力解像度で前記画像を前記撮像装置に出力する出力手段とを備え、前記変更手段は、前記出力解像度を前記画像の元の解像度よりも低い解像度に変更することを特徴とする。
【０００９】
請求項２の発明は、請求項１の発明に係る画像出力装置であって、前記取得手段は、前記表示解像度に関する情報を前記撮像装置との通信により取得することを特徴とする。
【００１０】
請求項３の発明は、請求項１または請求項２の発明に係る画像出力装置であって、前記画像は動画像であることを特徴とする。
【００１１】
請求項４の発明は、請求項１から請求項３のいずれかの発明に係る画像出力装置において、前記撮像装置の記録手段における画像記録能力を取得する手段と、前記撮像装置の記録手段における録画設定内容を設定する設定手段とをさらに備え、前記設定手段は、前記録画設定内容が前記画像記録能力を超えないように、前記録画設定内容における前記記録解像度を変更し、前記変更手段は、前記出力解像度を前記変更後の記録解像度と同一の解像度に変更することを特徴とする。
【００１２】
請求項５の発明は、請求項１から請求項４のいずれかの発明に係る画像出力装置において、前記撮像装置に対して電力を供給する電力供給手段、をさらに備えることを特徴とする。
【００１３】
請求項６の発明は、請求項５の発明に係る画像出力装置において、前記電力供給手段は、前記撮像装置の充電池を充電することが可能であり、少なくとも、前記撮像装置による前記画像の記録時には前記充電池の充電を行わないことを特徴とする。
【００１４】
請求項７の発明は、請求項１から請求項６のいずれかの発明に係る画像出力装置において、前記撮像装置における前記画像の録画予約を行う予約手段、をさらに備えることを特徴とする。
【００１５】
請求項８の発明は、請求項１から請求項７のいずれかの発明に係る画像出力装置において、前記変更手段は、前記撮像装置の記録手段における未使用記憶容量と録画予約における録画時間とに応じて、前記画像の出力解像度を変更することを特徴とする。
【００１６】
請求項９の発明は、請求項１から請求項８のいずれかの発明に係る画像出力装置において、前記撮像装置における予約録画時には、前記撮像装置のスピーカから音声を出力しないように前記撮像装置を制御する制御手段、をさらに備えることを特徴とする。
【００１７】
請求項１０の発明は、請求項１から請求項９のいずれかの発明に係る画像出力装置において、前記画像出力装置からの出力画像が前記撮像装置によって録画されて録画ファイルが生成される場合には、前記画像出力装置からの出力画像を録画した録画画像であることを示す情報を前記録画ファイルに付加させる手段、をさらに備えることを特徴とする。
【００１８】
請求項１１の発明は、コンピュータを、請求項１から請求項１０のいずれかの発明に係る画像出力装置として機能させるためのプログラムであることを特徴とする。
【００１９】
請求項１２の発明は、画像入出力システムであって、撮像装置と、請求項１から請求項１０のいずれかの発明に係る画像出力装置とを備える画像入出力システムであることを特徴とする。
【００２０】
請求項１３の発明は、撮像装置であって、画像の再生表示を行う表示手段と、前記画像に関する音声出力を行うことが可能なスピーカと、再生対象の画像が、当該撮像装置による撮影画像と当該撮像装置に対する入力画像を録画した録画画像とのいずれであるかを判定する手段と、前記再生対象の画像が前記録画画像であると判定される場合には、当該画像に関する音声出力を前記スピーカから出力しないように制御する制御手段とを備えることを特徴とする。
【発明の効果】
【００２１】
請求項１から請求項１２に記載の発明によれば、画像に関する通信量が必要以上に増大することを防止し、画像に関する通信量を適切に制御することが可能である。
【００２２】
特に、請求項４に記載の発明によれば、撮像装置で解像度変換を行うことなく、撮像装置の記録手段に適切に録画を行うことができる。
【００２３】
請求項１３に記載の発明によれば、録画画像の再生時における音声出力を適切に制御することが可能である。
【発明を実施するための最良の形態】
【００２４】
以下、本発明の実施形態を図面に基づいて説明する。
【００２５】
＜Ａ．  システム概要＞
図１は、実施形態に係る画像入出力システム１Ａを示す概観図である。
【００２６】
この画像入出力システム１Ａは、デジタルカメラ（撮像装置）１００Ａと、クレードル（ないし「ドック」とも称せられる）２００Ａとを備えている。デジタルカメラ１００Ａとクレードル２００Ａとは着脱自在に構成されており、図１においてはデジタルカメラ１００Ａがクレードル２００Ａに接続された状態が示されている。
【００２７】
デジタルカメラ１００Ａは、その背面側に液晶ディスプレイ（以下、単にＬＣＤと称する）５を備えており、その前面側に撮影レンズ２（図２参照）を備えている。ＬＣＤ５は、所定の画素数（例えば３２０×２４０×ＲＧＢ画素）で構成される表示部である。また、デジタルカメラ１００Ａの上面側にはシャッタボタン８が設けられている。シャッタボタン８は、半押し状態Ｓ１と全押し状態Ｓ２とを検出することが可能な２段階スイッチになっている。
【００２８】
デジタルカメラ１００Ａは、被写体に関する静止画像を撮像することが可能であり、静止画撮影モードにおいて、シャッタボタン８が全押し状態Ｓ２にまで押下されると、被写体に関する静止画像を撮像することが可能である。また、このデジタルカメラ１００Ａは、動画像の撮影機能をも有しており、動画撮影モードにおいて、シャッタボタン８が押下されると、被写体に関する静止画像を撮像することが可能である。動画撮影モードにおける動画撮影時の記録解像度は、たとえば、６４０×４８０画素、３２０×２４０画素および１６０×１２０画素などの複数の選択肢の中から操作者によって設定された設定値に設定される。
【００２９】
さらに、デジタルカメラ１００Ａは、撮影画像（静止画像および動画像）をＬＣＤ５に再生表示することが可能である。
【００３０】
また、デジタルカメラ１００Ａは、上記の撮影機能に加えて、クレードル２００Ａからの入力画像（ＴＶ画像およびＤＶＤ画像等）をＬＣＤ５に表示すること、当該入力画像を録画すること、およびクレードル２００Ａからの電源供給によりデジタルカメラ１００Ａ内の充電可能なバッテリ（充電池ないし二次電池とも称する）３９（図２）を充電することなどができる。これらの機能（クレードル２００Ａからの入力画像の表示機能および録画機能、ならびにバッテリ３９の充電機能等）は、クレードル２００Ａに接続されている状態で有効になる。
【００３１】
クレードル２００Ａは、テレビ映像受信機能（いわゆるテレビチューナ機能）を有しており、受信した画像をデジタルカメラ１００Ａに対して出力する機能を有している。また、クレードル２００Ａは、テレビ映像だけでなく、当該クレードル２００Ａに接続された画像再生装置（ＤＶＤプレーヤ等）からの映像をもデジタルカメラ１００Ａへと出力することが可能である。なお、これに限定されず、クレードル２００Ａに内蔵された画像再生部（ＤＶＤプレーヤ部等）からの映像をデジタルカメラ１００Ａへと出力するようにしてもよい。
【００３２】
このように、クレードル２００Ａは、デジタルカメラ１００Ａに対して画像を出力する画像出力装置としても機能する。
【００３３】
また、クレードル２００Ａの下側には、その動作状態を示す各種ランプ８１，８２，８３が設けられている。具体的には、テレビ放送受信中であることを示す受信中ランプ８１と、テレビ放送等の記録中（録画中）であることを示す記録中ランプ８２と、デジタルカメラ１００Ａに対する充電中であることを示す充電中ランプ８３とが設けられている。
【００３４】
以下では、デジタルカメラ１００Ａおよびクレードル２００Ａの詳細構成を、順次に説明する。
【００３５】
＜Ｂ．デジタルカメラ＞
まず、デジタルカメラ１００Ａの構成について図２を参照しながら説明する。図２はデジタルカメラ１００Ａの内部構成を示す概略図である。
【００３６】
ＣＣＤ撮像素子（以下、単にＣＣＤとも称する）１０は被写体像を撮影して電子的な画像信号を生成する撮像手段として機能するものであり、所定数（例えば約３００万画素）の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００３７】
ＣＣＤ１０から得られる画像信号は信号処理回路１１に与えられ、信号処理回路１１において画像信号（アナログ信号）に対して所定のアナログ信号処理が施される。信号処理回路１１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３８】
Ａ／Ｄ変換器１２は、画像信号の各画素信号（アナログ信号）を所定ビット数（ここでは１２ビット）のデジタル信号に変換するものである。Ａ／Ｄ変換器１２は、全体制御部４０から入力されるＡ／Ｄ変換用のクロックに基づいて各画素信号（アナログ信号）を１２ビットのデジタル信号に変換する。
【００３９】
デジタル信号に変換された画像信号は、画像処理回路２０に入力される。
【００４０】
画像処理回路２０は、補間回路２１、γ（ガンマ）補正回路２２、ＷＢ（ホワイトバランス）回路２３、色差マトリクス回路２４、および解像度変換回路２５を有している。
【００４１】
補間回路２１は、各画素に関する補間処理を行う。ＣＣＤ１０の各画素は、Ｒ，Ｇ，Ｂいずれか１つの原色成分に関する情報しか持っていないため、他の原色成分の情報を周辺の画素の値を基に推測する補間処理を行うのである。
【００４２】
γ補正回路２２は、画素データの階調を補正するものであり、ＷＢ（ホワイトバランス）回路２３は、Ｒ，Ｇ，Ｂの各色成分のレベル変換を行うものである。
【００４３】
色差マトリクス回路２４は、変換用のマトリクスであるＹマトリクス、Ｃｒマトリクス、Ｃｂマトリクスを備えている。色差マトリクス回路２４は、ＲＧＢの原色成分をもつ色空間（ＲＧＢ色空間）で表現されるカラー情報を、輝度成分（Ｙ）と、色差成分（Ｃｒ，Ｃｂ）とをもつ色空間（ＹＣｒＣｂ色空間）で表現されるカラー情報に変換する機能を有している。ここでは変換後のデジタルデータとして、ＹＣＣ（４：１：１）の形式のもの（Ｙ成分、Ｃｒ成分、Ｃｂ成分のデータ量（解像度）の比が４：１：１のデータ形式のもの）を採用する。ただし、これに限定されず、ＹＣＣ（４：２：２）の形式のもの（Ｙ成分、Ｃｒ成分、Ｃｂ成分のデータ量（解像度）の比が４：２：２のデータ形式のもの）を採用するようにしてもよい。
【００４４】
解像度変換回路２５は、ＣＣＤ１０から得られる画像データに対して所定の解像度変換行う機能を有している。解像度変換回路２５は、撮影画像生成時およびライブ画像生成時に主に動作する。なお、後述するように、クレードル２００Ａからの画像は予め解像度変換が施されているため、クレードル２００Ａからの画像を録画する際には解像度変換回路２５は動作する必要がない。
【００４５】
画像処理回路２０に入力された画像信号は、各回路２１〜２５によって適宜の処理が施され、バッファとしての画像メモリ３１に画像データとして格納される。
【００４６】
画像メモリ３１は、本撮影時にＣＣＤ１０で取得され上記の画像処理が施された画像データを一時的に記憶するメモリである。
【００４７】
ユーザによって記録指示（撮影指示）が与えられた場合には、画像メモリ３１からメモリカード９に対して画像データが転送され、画像データの記録保存が行われる。具体的には、画像メモリ３１に格納された画像データは、圧縮伸張回路３２に読み出され所定の圧縮形式に従って圧縮され、再び画像メモリ３１に書き戻される。さらに、その後、この画像データは、メモリカードドライバ３４の駆動制御に基づいて、画像メモリ３１から読み出されメモリカード９に転送され、メモリカード９に書き込まれる。また、これらの動作は、全体制御部４０によって全体的に統括制御されて行われる。なお、圧縮形式としては、静止画像の撮影時においてはＪＰＥＧなどの形式が用いられ、動画像の撮影時においてはＭＰＥＧ（詳細にはＭＰＥＧ１，ＭＰＥＧ２，ＭＰＥＧ４等）、あるいはＭｏｔｉｏｎＪＰＥＧなどの形式が用いられる。
【００４８】
また、記録用の画像とは別にライブビュー用画像が生成され、当該ライブビュー画像がＬＣＤドライバ３３を介してＬＣＤ５に表示され、ライブビュー表示が行われる。
【００４９】
このデジタルカメラ１００Ａは、撮影画像（静止画像および動画像）を再生することもできる。メモリカード９に格納された再生対象の画像データは、メモリカード９から画像メモリ３１へと読み出され圧縮伸張回路３２によって伸張された後、必要に応じて解像度変換回路２５により解像度変換が施され、ＬＣＤ５に表示される。また、画像データに含まれる音声データは、スピーカ３６から音声として出力される。
【００５０】
さらに、上述したように、このデジタルカメラ１００Ａは、クレードル２００Ａからの入力画像（ストリーミングデータ）を表示および記録することができる。
【００５１】
具体的には、クレードル２００Ａから入力された画像は、画像メモリ３１に一時的に格納された後に画像メモリ３１から読み出され、その後、ＬＣＤドライバ３３を介してＬＣＤ５に表示され、および／または、メモリカードドライバ３４を介してメモリカード９に転送されてメモリカード９に書き込まれる。ここにおいて、クレードル２００Ａから送られてくる入力画像は、クレードル２００Ａ側で解像度変換が既に行われているので、デジタルカメラ１００Ａ側で解像度変換を行うことを要しない。特に、転送画像（入力画像）は、ＴＶ放送における原画像の解像度（元の解像度）よりも低い解像度に予め変換されているため、クレードル２００Ａからデジタルカメラ１００Ａへと伝送データ量（通信量）を低減することができる。
【００５２】
また、より詳細には、クレードル２００Ａから入力され画像メモリ３１に一時的に格納された画像は、所要の変換処理（例えば、ＹＣＣ（４：２：２）の形式をＹＣＣ（４：１：１）の形式に変換する処理等）が施された後に、画像メモリ３１から読み出されてＬＣＤ５および／またはメモリカード９に転送される。なお、これに限定されず、デジタルカメラ１００Ａの色差マトリクス回路２４による変換後のデータ形式と同一形式（例えばＹＣＣ（４：１：１）の形式）のデータをクレードル２００Ａからデジタルカメラ１００Ａへ向けて転送するようにしてもよい。この場合には、デジタルカメラ１００Ａ側での変換処理が不要になるので、さらに効率的である。
【００５３】
また、デジタルカメラ１００Ａは、録画予約機能を有している。操作者は、録画予約用画面等を用いて録画予約内容を設定することができる。録画予約用画面は、メニューボタン６およびコントロールボタン７の操作によってＬＣＤ５に表示される。操作者は、コントロールボタン７の操作によって、録画予約用画面内の各項目（具体的には、録画開始時刻、録画終了時刻、録画チャンネル）の内容を設定することができる。
【００５４】
また、デジタルカメラ１００ＡはＤＣ／ＤＣコンバータ３８を有しており、クレードル２００Ａからの電力供給を受ける場合には、当該ＤＣ／ＤＣコンバータ３８を介して、デジタルカメラ１００Ａ内の各処理部に電力が供給される。そのため、予約録画時等におけるバッテリ切れによる録画失敗を回避でき、バッテリ３９（次述）の残量を気にしないで済む。
【００５５】
さらに、デジタルカメラ１００Ａはバッテリ３９を内蔵しており、クレードル２００Ａからの電力供給を受けない場合には、バッテリ３９によってデジタルカメラ１００Ａ内の各種回路等への電源供給が行われる。また、後述するように、クレードル２００Ａからの電力供給に応じて、バッテリ３９を充電することも可能である。
【００５６】
外部接続インターフェイス（外部接続ＩＦ）４９は、このデジタルカメラ１００Ａとクレードル２００Ａとを接続し、所望のデータ通信を実現する機能を有している。又、ここでのデータ交信はデジタルデータで行われる。
【００５７】
この外部接続ＩＦ４９は、例えばＵＳＢ規格に準拠した通信用インターフェイス等で構成される。これにより、後述するように、クレードル２００Ａからのストリーミングデータを受信すること、クレードル２００Ａの制御部７０との間で各種の制御用データを送受信すること、およびクレードル２００Ａからの電源供給を受けることなどが可能になる。なお、外部接続ＩＦ４９としては、ＵＳＢ規格に準拠した通信用インターフェイスに限定されず、これに代えてあるいはこれに加えて各種の規格（例えば独自規格であってもよい）に準拠した通信インターフェイスを用いるようにしてもよい。
【００５８】
操作部３５は、メニューボタン６（図１参照）、コントロールボタン７、シャッタボタン８等を含む操作部であり、ユーザがデジタルカメラ１００Ａの設定を操作する部材である。
【００５９】
全体制御部４０は内部にＲＡＭ及びＲＯＭを備えたマイクロコンピュータによって構成され、マイクロコンピュータが所定の制御プログラムを実行することにより、上記各部を統括的に制御する制御手段として機能する。
【００６０】
＜Ｃ．クレードル＞
つぎに、クレードル２００Ａの構成について図３を参照しながら説明する。図３はクレードル２００Ａの内部構成を示す概略図である。
【００６１】
クレードル２００Ａは、デジタルカメラ１００Ａに対して画像（例えばＴＶ画像あるいはＤＶＤ画像等）を出力することができる。
【００６２】
そのため、クレードル２００Ａは、ＴＶチューナ６１、信号切換部６２、ビデオデコーダ６４、オーディオコーデック６５、メモリ６６、ＵＳＢコントローラ６７、電源制御回路６８、アンテナ６９、および制御部７０等を備えている。
【００６３】
ＴＶチューナ６１は、アンテナ６９により受信されたＴＶ放送電波に基づいて、画像信号（ＴＶ画像）を生成する機能を有している。
【００６４】
クレードル２００Ａは、外部映像入力端子および外部音声入力端子（不図示）を備えており、ＤＶＤプレーヤなどの画像再生装置９０からの画像信号（映像信号および音声信号を含む）を入力することができる。信号切換部６２は、ＴＶ画像と画像再生装置からの画像とのいずれを、デジタルカメラ１００Ａへの出力対象とするかを切り換える機能を有している。
【００６５】
信号切換部６２で選択された画像信号は、映像信号と音声信号とに分離された後、ビデオデコーダ６４およびオーディオコーデック６５に入力される。具体的には、信号切換部６２から出力された画像信号のうち映像信号（ビデオ信号（ＶＩＤＥＯ）信号）はビデオデコーダ６４に入力され、当該画像信号のうち音声信号（オーディオ（ＡＵＤＩＯ）信号）はオーディオコーデック６５に入力される。
【００６６】
ビデオデコーダ６４は、入力されたアナログ信号の映像信号をデジタルデータに変換する。変換後のデジタルデータ（映像信号）としては例えばＹＣＣ（４：２：２）の形式のものを採用することができる。なお、これに限定されず、デジタルカメラ１００Ａの色差マトリクス回路２４による変換後のデータ形式と同一の形式、具体的にはＹＣＣ（４：１：１）の形式のものを採用してもよい。
【００６７】
オーディオコーデック６５は、入力されたアナログ信号の音声信号をデジタルデータに変換する。変換後のデジタルデータ（音声信号）としては例えばＰＣＭ (Pulse Code Modulation) 形式のものを採用することができる。
【００６８】
また、ビデオデコーダ６４は、入力された画像信号（詳細には映像信号）の解像度を変換する機能をも有している。たとえば、５２５本の水平解像度を有する映像信号をＬＣＤ５の水平解像度と同じ２４０本の水平解像度を有する信号に変換することができる。これにより、クレードル２００Ａから出力される画像の出力解像度を変換することができる。なお、ここではビデオデコーダ６４が解像度変換をも行う場合を例示しているが、別個に設けた解像度変換回路によって解像度変換を行うように構成してもよい。
【００６９】
ビデオデコーダ６４およびオーディオコーデック６５において生成されたデジタルデータ（映像信号および音声信号）は、メモリ６６に一時的に格納された後、外部接続インターフェイス７９を介して、画像データ（動画像データないしストリーミングデータとも称せられる）としてデジタルカメラ１００Ａに伝送される。この伝送動作は、ＵＳＢコントローラ６７および制御部７０によって制御される。
【００７０】
外部接続インターフェイス（外部接続ＩＦ）７９は、例えばＵＳＢ規格に準拠した通信用インターフェイス等で構成される。外部接続ＩＦ７９と上述の外部接続ＩＦ４９との間の通信によって、ストリーミングデータをデジタルカメラ１００Ａに送信すること、デジタルカメラ１００Ａの全体制御部４０との間で各種の制御用データを送受信すること、およびデジタルカメラ１００Ａに向けて電源を供給することなどが可能になる。なお、外部接続ＩＦ７９としては、ＵＳＢ規格に準拠した通信用インターフェイスに限定されず、これに代えてあるいはこれに加えて各種の規格（例えば独自規格であってもよい）に準拠した通信インターフェイスを用いるようにしてもよい。
【００７１】
制御部７０は内部にＲＡＭ及びＲＯＭを備えたマイクロコンピュータによって構成され、マイクロコンピュータが所定の制御プログラムを実行することにより、上記各部を統括的に制御する制御手段として機能する。
【００７２】
また、クレードル２００Ａは、家庭用交流電源（ＡＣコンセント）から電力供給を受ける。クレードル２００Ａは、供給された交流電圧を、電源制御回路６８内のＡＣ／ＤＣ変換部により直流電圧に変換する。その後、クレードル２００Ａは、変換後の電力を、クレードル２００Ａ内の各処理部に供給するとともに、デジタルカメラ１００Ａに対しても供給することができる。
【００７３】
電源制御回路６８は、制御部７０と協動して、デジタルカメラ１００Ａに対する電力供給動作（より詳細にはデジタルカメラ１００Ａのバッテリ３９に対する充電動作等）をも制御する。
【００７４】
クレードル２００Ａおよびデジタルカメラ１００Ａは、その外部接続ＩＦ７９，４９を介した通信によって、各種の情報を授受することができる。
【００７５】
通信対象情報としては、例えば、（１）デジタルカメラ１００ＡのＬＣＤ５に関する情報（ＬＣＤ５の表示解像度等）、（２）デジタルカメラ１００Ａにおける動画記録に関する情報（動画の記録解像度および画質（圧縮率）等）、（３）メモリカード９に関する情報（未使用記憶容量（残り容量）および書込速度等）、（４）録画内容に関する情報（録画開始時刻、録画終了時刻、チャンネル、画像ソース（ＴＶ画像であるのかＤＶＤ画像であるのか））、（５）デジタルカメラ１００Ａおよびクレードル２００Ａにおける内蔵時計の時刻情報、（６）各種の制御指令（充電開始指令、充電終了指令、録画開始指令、録画終了指令等）などが存在する。
【００７６】
＜Ｄ．ＴＶ番組等の表示動作および録画動作＞
図４および図５は、デジタルカメラ１００Ａとクレードル２００Ａとの接続時における本システム１Ａの動作を示すフローチャートである。両者１００Ａ，２００Ａの接続時においては、ＴＶ画像およびＤＶＤ画像等のデジタルカメラ１００Ａの外部から入力される画像（以下、「外部入力画像」とも称する）の表示動作および録画動作を実行することが可能である。なお、以下では、外部入力画像としてＴＶ画像がクレードル２００Ａからデジタルカメラ１００Ａへと出力される場合を想定するが、ＤＶＤ画像等のその他の外部入力画像が、クレードル２００Ａからデジタルカメラ１００Ａへ出力される場合も同様である。また、この実施形態では、説明の簡単化のため、外部入力画像（ＴＶ画像等）の表示と録画とを同時に行わない場合を想定する。
【００７７】
まず、デジタルカメラ１００Ａとクレードル２００Ａとが接続されていることが、デジタルカメラ１００Ａおよびクレードル２００Ａの双方によってそれぞれ検知される（ステップＳＰ１１）と、デジタルカメラ１００Ａからクレードル２００Ａに向けて各種の情報が送信される（ステップＳＰ１２）。具体的には、デジタルカメラ１００ＡのＬＣＤ５に関する情報（ＬＣＤ５の表示解像度等）、デジタルカメラ１００Ａにおける動画記録に関する情報（動画の解像度および画質（圧縮率）等）、およびメモリカード９に関する情報（未使用記憶容量（残り容量）および書込速度等）に関する情報が、デジタルカメラ１００Ａからクレードル２００Ａに向けて送信される。
【００７８】
つぎに、クレードル２００Ａは、ＴＶ画像（外部入力画像）の表示を行うことがデジタルカメラ１００Ａにおいて設定されているか否かを判定する（ステップＳＰ１３）。
【００７９】
ＴＶ画像の表示を行うことが設定されていると判定される場合には、クレードル２００Ａは、デジタルカメラ１００Ａへ転送する画像（転送画像）の解像度をＬＣＤ５の表示解像度に応じて変更する。たとえば、ＬＣＤ５の表示解像度が３２０×２４０画素である場合には、デジタルカメラ１００Ａに転送する外部入力画像の解像度を、ＬＣＤ５と同一の解像度（すなわち３２０×２４０画素）に設定する。この設定動作後においては、クレードル２００Ａのビデオデコーダ６４は、５２５本の水平解像度を有するＴＶ映像信号を、ＬＣＤ５の水平解像度と同じ２４０本の水平解像度を有する信号に変換する。そして、変換後のデジタルデータがクレードル２００Ａからデジタルカメラ１００Ａへと転送される（ステップＳＰ１５）。また、デジタルカメラ１００Ａは、クレードル２００Ａから転送されてきた入力画像を、一時的に画像メモリ３１に格納した後、さらにＬＣＤドライバ３３を介してＬＣＤ５に転送してＬＣＤ５に表示する。このような、外部入力画像表示は、操作者により終了指示が与えられるまで継続され、当該終了指示に応じて終了する（ステップＳＰ１６，ＳＰ１７）。その後、バッテリの充電が開始される（ステップＳＰ３８）。
【００８０】
一方、ＴＶ画像の非表示が設定されていると判定される場合には、録画動作等に移行する。
【００８１】
具体的には、まず、ステップＳＰ２１において、クレードル２００Ａは、デジタルカメラ１００Ａとの通信により、デジタルカメラ１００Ａにおける録画設定内容を取得する。詳細には、予約録画の有無およびその内容（録画開始時刻、録画終了時刻、録画チャンネル等）を取得する。
【００８２】
ステップＳＰ２２においては、現在の録画設定内容がメモリカード９の録画能力（画像記録能力）を超えているか否かが判定される。予約録画が無い場合は、判定せずＳＰ２６に進む。
【００８３】
具体的には、ステップＳＰ１２において取得された、メモリカード９の書込速度ＷＲおよび残り容量ＲＺを、それぞれ、画像レートＴＲおよび想定ファイルサイズＳＺと比較する。ここで、画像レートＴＲは、録画時に生成される画像（録画画像）の単位時間あたりの情報量であり、ステップＳＰ１２で取得した各設定値（具体的には、動画記録時における解像度ＰＲおよび画質ＰＱ（圧縮率））に基づいて算出される。また、想定ファイルサイズＳＺは、上記の画像レートＴＲと、録画時間（＝終了時刻−開始時刻）とに基づいて算出される。
【００８４】
メモリカード９の残り容量ＲＺが想定ファイルサイズＳＺより小さい場合には、終了時刻まで録画を継続することができない。また、メモリカード９の書込速度ＷＲが画像レートＴＲよりも小さい場合には、録画を正確に実行することができない。そのため、これらの場合には、現在の録画設定内容がメモリカード９の録画能力（画像記録能力）を超えているものと判定される。そして、録画を適切に実行することが不可能である旨などを表示する警告表示がＬＣＤ５に表示され（ステップＳＰ２３）、これに応じて、操作者が、より大きな残り容量を有するメモリカードに差し替えるか、動画記録時における解像度および／または画質の設定変更操作を行うと、再びステップＳＰ１２に戻り、再び同様の動作が行われる。なお、動画記録に関する設定変更操作が行われた場合には、変更後の設定内容がデジタルカメラ１００Ａに設定される（ステップＳＰ２５）。
【００８５】
一方、メモリカード９の残り容量ＲＺが想定ファイルサイズＳＺより大きく、且つ、メモリカード９の書込速度ＷＲが画像レートＴＲより大きい場合には、現在の録画設定内容はメモリカード９の録画能力（画像記録能力）を超えておらず、録画条件に支障はないとして次のステップＳＰ２６に進む。なお、ステップＳＰ２２の比較処理における等号成立時には、ステップＳＰ２３とステップＳＰ２６とのいずれに進むように構成してもよい。
【００８６】
以上のようにして、予約録画可能か否かのチェック等（ステップＳＰ２１〜ステップＳＰ２５）が行われる。なお、ここではクレードル２００Ａが主体となって予約録画が可能か否かのチェック等を行う場合を例示しているが、これに限定されず、デジタルカメラ１００Ａが主体となって予約録画が可能か否かのチェック等を行うようにしてもよい。
【００８７】
ステップＳＰ２６においては、クレードル２００Ａは、デジタルカメラ１００Ａへ向けて出力する画像の出力解像度を、動画記録時の解像度（設定値）ＰＲと同一の値に設定する。動画記録時の解像度ＰＲは、たとえば、６４０×４８０画素、３２０×２４０画素および１６０×１２０画素などの複数の選択肢の中から操作者によって設定された設定値に設定されており、当該出力解像度は、このような設定値と同一の値に設定される。ただし、操作者によって解像度ＰＲがＬＣＤ５よりも大きな解像度（例えば６４０×４８０画素）に設定されているときには、解像度ＰＲはＬＣＤ５の解像度以下の解像度（例えば３２０×２４０画素）に再設定された上で、上記出力解像度が再設定後の解像度ＰＲと同一の値に設定される。
【００８８】
これにより、クレードル２００Ａは、後述の録画時において、予め解像度を変換した画像をデジタルカメラ１００Ａに対して出力することになる。特に、ソース画像（ＴＶ画像）よりも小さな解像度を有する画像を録画する場合（例えば、５２５本の水平解像度を有するＴＶ映像信号を、ＬＣＤ５の水平解像度と同じ２４０本の水平解像度を有する信号に変換する場合）には、クレードル２００Ａ側で予め間引いた画像を生成し、間引き後の画像がデジタルカメラ１００Ａに転送されるので、無駄が無い。
【００８９】
次に、ステップＳＰ３１において、時計の修正動作が行われる。具体的には、デジタルカメラ１００Ａの内蔵時計による時刻とクレードル２００Ａの内蔵時計による時刻とを比較し、両者の誤差が３分未満であれば、両者の一方の時刻を他方の時刻に合わせる。ここでは、デジタルカメラ１００Ａの時刻をクレードル２００Ａの時刻に合わせて変更する。一方、両者の誤差が３分以上であれば、ＬＣＤ５に時計修正をすべき旨の警告表示を表示し、操作者からの時刻入力を待つ。操作者から時刻が入力されると、デジタルカメラ１００Ａの時刻が操作者からの入力時刻に合わせて変更されるとともに、当該時刻がデジタルカメラ１００Ａからクレードル２００Ａへと転送され、クレードル２００Ａの時刻も操作者からの入力時刻に合わせて変更される。
【００９０】
その後、クレードル２００Ａは、ステップＳＰ３２において録画予約が存在するか否かを判定し、録画予約が存在する場合にはさらにステップＳＰ３３において予約録画開始時刻まで１分未満であるか否かを判定する。この判定結果に基づいて、バッテリ充電動作と録画動作との調整が行われる。
【００９１】
録画予約が全く存在しない場合には、デジタルカメラ１００Ａのバッテリ充電動作（ステップＳＰ３８〜ＳＰ４０）が即時に行われる。具体的には、クレードル２００Ａは、デジタルカメラ１００Ａに対してバッテリ充電を開始する旨を伝達し、デジタルカメラ１００Ａに電力を供給しデジタルカメラ１００Ａのバッテリ３９を充電するバッテリ充電動作を開始する（ステップＳＰ３８）。そして、バッテリ充電率が所定値に到達すると、バッテリ充電動作は終了する（ステップＳＰ３９，ＳＰ４０）。
【００９２】
また、予約録画開始時刻まで１分未満の録画予約が存在する場合には、少なくともその時点ではバッテリ充電動作（ステップＳＰ３４〜ＳＰ３６）を行うことなく、ステップＳＰ３７に進み録画動作を行う。
【００９３】
ステップＳＰ３７においては、具体的には、クレードル２００Ａは、開始時刻の直前（たとえば１０秒前）から終了開始までの間において予約対象となるチャンネルのＴＶ画像（デジタルデータ）を解像度変換等を施した後にデジタルカメラ１００Ａへと転送し、デジタルカメラ１００Ａは、開始時刻が到来すると当該ＴＶ画像の録画を開始し、終了時刻が到来すると当該ＴＶ画像の録画を終了する。また、この録画動作によって生成される画像ファイル（録画ファイル）ＧＦには、本システム１Ａにより録画された画像ファイルであること（換言すればクレードル２００Ａからの出力された画像信号を録画したファイルであること）を示す識別情報ＤＭ（図７参照）が付与される。具体的には、当該画像ファイル（録画ファイル）ＧＦのタグ情報ＴＧ内に、当該識別情報ＤＭが付加される。なお、デジタルカメラ１００Ａによる「撮影画像」（後述）には当該識別情報ＤＭは付加されない。
【００９４】
一方、予約録画開始時刻まで１分未満の録画予約が存在しない場合には、バッテリ充電動作（ステップＳＰ３４〜ＳＰ３６）が行われる。具体的には、クレードル２００Ａは、デジタルカメラ１００Ａに対してバッテリ充電を開始する旨を伝達しバッテリ充電動作を開始する（ステップＳＰ３４）。そして、バッテリ充電率が所定値に到達すると、バッテリ充電動作は終了し（ステップＳＰ３５，Ｐ３６）、ステップＳＰ３７に進む。また、録画予約が存在し、その開始予定時刻の１分前になったときにはバッテリ充電動作が中断され（ステップＳＰ３５，Ｐ３６）、ステップＳＰ３７に進む。さらに、デジタルカメラ１００Ａを用いた手動録画操作が行われたときにもバッテリ充電動作は終了し（ステップＳＰ３５，Ｐ３６）、ステップＳＰ３７に進む。
【００９５】
ステップＳＰ３７においては、録画動作が行われる。予約録画時には上述したような録画動作が行われる。
【００９６】
なお、手動録画操作時には、録画開始操作時点から録画が開始される。より詳細には、デジタルカメラ１００Ａからクレードル２００Ａに向けて録画内容が伝達されると、クレードル２００Ａは、当該録画内容に応じてチャンネルを設定して、予めステップＳＰ２６で決定されていた解像度に変換したＴＶ画像をデジタルカメラ１００Ａへと転送する。デジタルカメラ１００Ａは、クレードル２００Ａから転送されてくるＴＶ画像を録画する。録画動作は、手動録画操作において設定された録画終了時刻が到来した時点、手動による録画終了操作が行われた時点、あるいは、メモリカード９の未使用記憶容量がゼロになった時点まで継続された後に終了する。また、手動録画による画像ファイルにも、予約録画による画像ファイルと同様に識別情報ＤＭが付加される。
【００９７】
録画動作の終了後には、バッテリ充電動作（ステップＳＰ３８〜ＳＰ４０）が行われる。なお、録画前に一旦バッテリ動作が中断されていた場合には、録画前に未完了であった充電動作が再開されて、バッテリ充電動作が完了されることになる。また、ここではステップＳＰ３９においてバッテリ充電が終了したか否かのみを判定する場合を例示しているが、これに限定されず、ステップＳＰ３９において、次の録画予約の録画開始時刻１分前が到来したか否かおよび手動録画が開始されたか否かをも判定し、いずれかが是であるときにはステップＳＰ３７（あるいはステップＳＰ１２）に戻るようにしてもよい。
【００９８】
ステップＳＰ４１では、終了判定が行われる。録画予約が残存せず且つ無操作状態が所定時間（たとえば３分間）続いている場合には、そのまま終了する。一方、未だ録画予約が残存している場合など終了すべきでない場合には、再びステップＳＰ１２に戻って、上記の動作を繰り返す。
【００９９】
以上のようにして、バッテリ充電動作および録画動作等（ステップＳＰ３２〜ＳＰ４１）が行われる。なお、ここではクレードル２００Ａが主体となって録画とバッテリ充電動作との優先順位等を決定する場合を例示しているが、これに限定されず、デジタルカメラ１００Ａが主体となって当該優先順位等を決定するようにしてもよい。なお、その場合、ステップＳＰ３４，ＳＰ３６，ＳＰ３８，ＳＰ４０においては、デジタルカメラ１００Ａからクレードル２００Ａへとバッテリ充電の開始指令および終了指令を伝達し、当該各指令に応じてクレードル２００Ａからデジタルカメラ１００Ａへの電力供給を開始および停止するようにすればよい。
【０１００】
また、上記の動作によれば、ＬＣＤ５の表示解像度に応じて、クレードル２００Ａにおいて予めＴＶ画像の出力解像度が低減されているので、クレードル２００Ａとデジタルカメラ１００Ａとの間における通信量が必要以上に増大することを防止できる。すなわち、クレードル２００Ａからデジタルカメラ１００Ａへの画像データ転送における通信量を適切に制御できる。
【０１０１】
また、上記の動作においては、デジタルカメラ１００Ａによる録画時には、バッテリ３９の充電が行われないように制御される。すなわち、電源制御回路６８によって、バッテリ３９の充電と録画動作とが同時に行われないように制御される。換言すれば、バッテリ３９の充電は、少なくとも、デジタルカメラ１００Ａによる画像の記録時には行われない。そのため、クレードル２００Ａは、バッテリ３９の充電と録画動作とを同時に行うための比較的大きな電源容量を有する必要がなく、バッテリ３９の充電と録画動作とのうちの一方を行うための比較的小さな電源容量を有していればよい。すなわち、録画と充電とが同時に行われる場合に比べて、クレードル２００Ａの電源容量を比較的小さくすることが可能である。
【０１０２】
＜Ｅ．録画されたＴＶ番組等の視聴動作＞
つぎに、各種の画像をデジタルカメラ１００Ａで視聴する動作について説明する。なお、視聴の対象となる画像の種類としては、本システム１Ａにより録画されたＴＶ画像等（以下、「録画画像」とも称する）と、デジタルカメラ１００Ａの撮影レンズ２を介して撮影された画像（静止画像および動画像）（以下、「撮影画像」とも称する）とが存在する。
【０１０３】
図６は、視聴動作を示すフローチャートである。メモリカード９に格納された「録画画像」および「撮影画像」は、デジタルカメラ１００Ａによる再生が可能である。特に、デジタルカメラ１００Ａがクレードル２００Ａから分離された状態で利用される場合には、デジタルカメラ１００Ａの携帯性を利用して様々な場所での視聴が可能になる。たとえば、外出先あるいは移動中の車中等で、録画画像および撮影画像を視聴することができる。
【０１０４】
まず、再生モード（あるいは動画再生モード）であることが検知される（ステップＳＰ６１）と、ファイル一覧がデジタルカメラ１００ＡのＬＣＤ５に表示され、当該ファイル一覧の中から操作者によって所望のファイルが再生対象ファイルが選択される（ステップＳＰ６２）。
【０１０５】
次に、デジタルカメラ１００Ａは、当該再生対象ファイルが録画画像であるのか或いは撮影画像であるのかを判定する（ステップＳＰ６３）。具体的には、再生対象ファイル内のタグ情報ＴＧを参照し、当該タグ情報ＴＧ内にクレードル２００Ａからの入力画像であることを示す識別情報ＤＭ（図７参照）が含まれているか否かに応じて、当該再生対象ファイルに含まれる画像（画像データＧＤ）が録画画像であるのか或いは撮影画像であるのかが判定される。
【０１０６】
当該再生対象ファイルが「撮影画像」であると判定される場合には、そのままステップＳＰ６５に進み、デジタルカメラ１００Ａ（全体制御部４０）は当該再生対象ファイルを再生する。当該再生対象ファイルに音声データが含まれている場合には、スピーカ３６から音声が出力される。
【０１０７】
一方、当該再生対象ファイルが「録画画像」であると判定される場合には、全体制御部４０は、スピーカ３６からの音声出力を停止し、デジタルカメラ１００Ａのヘッドホン端子から音声信号が出力されるように制御（ステップＳＰ６４）した上で、ステップＳＰ６５に進み当該再生対象ファイルを再生する。
【０１０８】
「録画画像」は、通勤電車の中などで１人の人間による閲覧を目的として再生されることが多いという事情がある。上記のような動作によれば、このような録画画像を視聴する際に（たとえば通勤電車の中などにおいて）音声が不意にスピーカ３６から出力されることを防止できる。すなわち、録画画像の再生時における音声出力を適切に制御することが可能である。
【０１０９】
一方、「撮影画像」は、複数の人間での閲覧を目的として再生されることが多いという事情がある。上記のような動作によれば、このような撮影画像を視聴する際にはスピーカ３６から音声が出力されるので、複数の人間による視聴に好適である。
【０１１０】
その後、再生対象ファイルが変更された場合（ステップＳＰ６６）も、同様の動作（ステップＳＰ６２〜ＳＰ６５）が実行される。
【０１１１】
＜Ｆ．変形例など＞
以上、この発明の実施の形態について説明したが、この発明は上記説明した内容のものに限定されるものではない。
【０１１２】
たとえば、上記実施形態においては、録画設定内容がメモリカード９の録画能力（画像記録能力）を超えていると判定される場合には、操作者によって録画設定の変更あるいはメモリカードの差し替えが行われる態様（図４、ステップＳＰ２４等）を例示したが、これに限定されない。図８は、或る変形例に係る動作を示すフローチャートである。具体的には、図８に示すように、ステップＳＰ２２において、現在の録画設定内容がメモリカード９の録画能力（画像記録能力）を超えていると判定される場合には、録画設定の自動変更（ステップＳＰ２７，ＳＰ２６）を行うようにしてもよい。より詳細には、現在の録画設定内容がメモリカード９の録画能力（画像記録能力）を超えているときには、録画設定内容における記録解像度を、変更前の値（例えば「３２０×２４０画素」）から、より低い値に（例えば「１６０×１２０画素」）へと変更して、録画設定内容が録画能力を超えないように自動的に変更する（ステップＳＰ２７）。そして、ステップＳＰ２６において、クレードル２００Ａは、デジタルカメラ１００Ａへ向けて出力する画像の出力解像度を、動画記録時の解像度（設定値）ＰＲと同一の値に設定する。これによれば、デジタルカメラ１００Ａで解像度変換を行うことなく、メモリカード９に適切に録画を行うことができる。
【０１１３】
さらに、図８には示していないが、このような録画設定の自動変更（ステップＳＰ２７）を施したとしても当該メモリカード９への録画に未だ支障が有る場合には、警告表示をＬＣＤ５に表示して、メモリカード９の差し替えを操作者に促すようにしてもよい。
【０１１４】
また、上記実施形態においては、デジタルカメラ１００Ａを載置するクレードル２００Ａにテレビ放送受信機能等を搭載する場合、端的に言えばデジタルカメラ１００Ａとクレードル２００Ａとを有線接続する場合を例示したがこれに限定されない。具体的には、図９に示すように、デジタルカメラ１００Ａの代わりにデジタルカメラ１００Ｂを設けるとともにクレードル２００Ａの代わりにテレビユニット２００Ｂを設けるようにしてもよい。図９はこのような変形例に係るシステム１Ｂを示す図である。
【０１１５】
デジタルカメラ１００Ｂはデジタルカメラ１００Ａと同様の構成を有しており、テレビユニット２００Ｂはクレードル２００Ａと同様の構成を有している。また、デジタルカメラ１００Ｂおよびテレビユニット２００Ｂは、それぞれ、外部接続インターフェイスとして無線ＬＡＮを採用する。テレビユニット２００Ｂは、クレードル２００Ａと同様のテレビ放送受信機能等を搭載しており、当該テレビユニット２００Ｂとデジタルカメラ１００Ｂとの間を無線通信で接続する。そして、テレビユニット２００Ｂは、受信したＴＶ画像をその解像度を変換（低減）した状態で無線ＬＡＮを介してデジタルカメラ１００Ｂに転送する。これによれば、充電機能以外は上記実施形態と同様の効果を得ることができる。
【０１１６】
あるいは、図１０に示すように、上記のクレードル２００Ａの機能をパーソナルコンピュータ２００Ｃを用いて実現するようにしてもよい。パーソナルコンピュータ２００Ｃは、所定のプログラムを実行することによって、上記のクレードル２００Ａと同様の動作を実現する。図１０はこのような変形例に係るシステム１Ｃを示す図である。なお、当該所定のプログラムは、ＣＤ−ＲＯＭ等の記録媒体に記録された状態で提供されてもよく、あるいは、インターネットなどのネットワークを介したダウンロード動作によって提供されてもよい。
【０１１７】
パーソナルコンピュータ２００Ｃは、ＴＶチューナユニット等を搭載し、受信したＴＶ画像をその解像度を変換（低減）した状態でＵＳＢケーブル９８を介してデジタルカメラ１００Ａに転送する機能を有している。また、パーソナルコンピュータ２００Ｃは、ＤＶＤ９９を再生することも可能であり、当該ＤＶＤ９９の再生画像をその解像度を変換（低減）した状態でＵＳＢケーブル９８を介してデジタルカメラ１００Ａに転送する機能をも有している。
【０１１８】
また、上記実施形態においては、図４において、操作者により終了指示（ステップＳＰ１６）に応じてＴＶ画像表示が終了する場合を例示したが、これに限定されない。例えば、ステップＳＰ２１（〜ＳＰ２５）の処理をステップＳＰ１３よりも前に実行しておき、録画予約が存在することが判明した場合には、当該録画予約の録画開始時刻の直前時刻（例えば１分前）が到来した時点でＴＶ画像表示を終了し、強制的に録画状態（ステップＳＰ３７）に移行するようにしてもよい。
【０１１９】
また、上記実施形態においては、デジタルカメラ１００Ａを用いて録画予約内容を設定する場合が例示されているが、これに限定されず、画像出力装置（たとえば、クレードル２００Ａ、テレビユニット２００Ｂあるいはパーソナルコンピュータ２００Ｃ）を用いて、録画予約内容を設定するようにしてもよい。より詳細には、パーソナルコンピュータ２００Ｃにおいて電子番組表を表示させ、当該電子番組表を用いて録画予約を行うようにしてもよい。
【０１２０】
また、上記実施形態では、説明の簡単化のため、外部入力画像（ＴＶ画像等）の表示と録画とを同時に行わない場合を想定したが、これに限定されず、外部入力画像の表示と録画とを同時に行うようにしてもよい。その場合において、予約録画時には、デジタルカメラ１００Ａのスピーカ３６からの音声を出力しないようにすること（ミュートすること）が好ましい。具体的には、デジタルカメラ１００Ａが予約録画時には音声出力を停止するようにすればよい。あるいは、予約録画時において、クレードル２００Ａからデジタルカメラ１００Ａに向けて、音声出力を停止すべき旨の制御指令を送出するようにしてもよい。予約録画時におけるスピーカ３６からの音声出力を停止することによれば、録画が開始されたとき（特に夜中など）に不意にスピーカ３６から音声が出力されることを防止できる。
【０１２１】
また、上記実施形態においては、記録解像度を複数の選択肢の中から選択する場合を例示したが、これに限定されず、記録解像度を自動的にＬＣＤ５の表示解像度と同一の解像度に設定するようにしてもよい。
【０１２２】
また、上記実施形態においては、ＴＶ放送信号がアナログ信号である場合を想定しているが、これに限定されない。具体的には、デジタル放送を受信した場合にも上記の思想を適用することができる。より詳細には、クレードル２００Ａにおいて、デジタル放送の受信画像（ＴＶ画像）の解像度をＬＣＤ５の表示解像度に変換した後に、クレードル２００Ａからデジタルカメラ１００Ａへと転送すればよい。
【図面の簡単な説明】
【０１２３】
【図１】第１実施形態に係る画像入出力システムの概略構成を示す図である。
【図２】デジタルカメラの内部構成を示す概略図である。
【図３】クレードルの内部構成を示す概略図である。
【図４】システムにおける動作を示すフローチャートである。
【図５】システムにおける動作を示すフローチャートである。
【図６】デジタルカメラによる視聴動作を示すフローチャートである。
【図７】再生対象ファイルの構成を示す図である。
【図８】変形例に係る動作を示すフローチャートである。
【図９】別の変形例に係るシステムの概略構成を示す図である。
【図１０】さらに別の変形例に係るシステムの概略構成を示す図である。
【符号の説明】
【０１２４】
１Ａ，１Ｂ，１Ｃ  画像入出力システム
２  撮影レンズ
５  ＬＣＤ
８  シャッタボタン
９  メモリカード
２０  画像処理回路
３９  バッテリ
４９，７９  外部接続インターフェイス
１００Ａ，１００Ｂ  デジタルカメラ
２００Ａ  クレードル
２００Ｂ  テレビユニット
２００Ｃ  パーソナルコンピュータ
【図１】
2007005879.tif 000003
【図２】
2007005879.tif 000004
【図３】
2007005879.tif 000005
【図４】
2007005879.tif 000006
【図５】
2007005879.tif 000007
【図６】
2007005879.tif 000008
【図７】
2007005879.tif 000009
【図８】
2007005879.tif 000010
【図９】
2007005879.tif 000011
【図１０】
2007005879.tif 000012